(57)【要約】【課題】  印刷物を印刷する者を認証または制限することが可能、印刷物を印刷した者を特定することが可能、かつ、複写することが困難な印刷物を印刷することが可能な印刷システムを提供する。【解決手段】  非接触型データ受送信体１１と、非接触型データ受送信体１１の情報の読み出しを行う情報読出手段１３と、印刷媒体に印刷する印刷手段１４と、印刷媒体のＩＣチップに情報の書き込みを行う情報書込手段１５と、印刷情報やＩＣチップに保存させる情報を入力する入力手段１６と、印刷手段１４による印刷媒体への印刷と同期するように、情報読出手段１３により読み出された情報のＩＣチップへの書き込みを制御する制御手段１７と、を備えた印刷システム１０を提供する。【選択図】        図１
2006123311.tif 000002
【特許請求の範囲】
【請求項１】
ＲＦＩＤ機能を有する半導体装置を備えてなる非接触型データ受送信体と、前記半導体装置に関して情報の読み出しを行う情報読出手段と、ＩＣチップを備えた印刷媒体に印刷する印刷手段と、前記印刷媒体に備えられたＩＣチップに関して情報の書き込みを行う情報書込手段と、前記印刷媒体に印刷する印刷情報を入力する入力手段と、前記印刷手段による前記印刷媒体への印刷と同期するように、前記情報読出手段により読み出された前記半導体装置に保存されている情報の前記情報書込手段による前記ＩＣチップへの書き込みを制御する制御手段と、を備えたことを特徴とする印刷システム。
【発明の詳細な説明】
【技術分野】
【０００１】
本発明は、主に重要な書類などの印刷に適用される印刷システムに関する。
【背景技術】
【０００２】
従来、印刷装置を用いた書類などの印刷物の印刷に関して、印刷を行う者を認証または制限する手段が設けられていなかった。したがって、印刷装置を操作可能な者であれば、重要な書類などを印刷することができるだけでなく、書類などを印刷した者を特定することができなかった。
【０００３】
また、書類などには文字、模様、写真などの印刷情報が印刷されるのみで、その印刷情報が誰によって印刷されたのか、また、何時、何処で印刷されたのかなどを識別することができなかった。
【０００４】
さらに、書類などに印刷された印刷情報は、第三者によって容易に複写可能であり、第三者による印刷情報の盗用などの不正を防止することができなかった。
【発明の開示】
【発明が解決しようとする課題】
【０００５】
本発明は、前記事情に鑑みてなされたもので、印刷物を印刷する者を認証または制限することが可能、印刷物を印刷した者を特定することが可能、かつ、複写することが困難な印刷物を印刷することが可能な印刷システムを提供することを目的とする。
【課題を解決するための手段】
【０００６】
本発明は、ＲＦＩＤ機能を有する半導体装置を備えてなる非接触型データ受送信体と、前記半導体装置に関して情報の読み出しを行う情報読出手段と、ＩＣチップを備えた印刷媒体に印刷する印刷手段と、前記印刷媒体に備えられたＩＣチップに関して情報の書き込みを行う情報書込手段と、前記印刷媒体に印刷する印刷情報を入力する入力手段と、前記印刷手段による前記印刷媒体への印刷と同期するように、前記情報読出手段により読み出された前記半導体装置に保存されている情報の前記情報書込手段による前記ＩＣチップへの書き込みを制御する制御手段と、を備えた印刷システムを提供する。
【０００７】
かかる構成によれば、書類などの印刷物の印刷に関して、印刷を行う者を認証または制限することができる。また、印刷物に印刷されている印刷情報が誰によって印刷されたのか、また、何時、何処で印刷されたのかなどを識別することができる。
【発明の効果】
【０００８】
本発明の印刷システムによれば、書類などの印刷物の印刷に関して、印刷を行う者を認証または制限することができる。また、印刷物に印刷されている印刷情報が誰によって印刷されたのか、また、何時、何処で印刷されたのかなどを識別することができる。さらに、第三者による印刷情報の盗用などの不正を防止することができる。
【発明を実施するための最良の形態】
【０００９】
以下、本発明を実施した印刷システムついて詳細に説明する。
【００１０】
図１は、本発明に係る印刷システムの一実施形態を示す概略図である。
図１中、符号１０は印刷システム、１１は非接触型データ受送信体、１２は印刷装置、１３は情報読出手段、１４は印刷手段、１５は情報書込手段、１６は入力手段、１７は制御手段、１８は接続手段、１９，２０は信号ラインをそれぞれ示している。
【００１１】
この実施形態の印刷システム１０は、ＲＦＩＤ機能を有する半導体装置（以下、「ＲＦＩＤ装置」と略す。）を備えた非接触型データ受送信体１１と、印刷装置１２とから概略構成されている。また、印刷装置１２は、情報読出手段１３と、印刷手段１４と、情報書込手段１５と、入力手段１６と、制御手段１７と、接続手段１８、信号ライン１９，２０とから概略構成されている。
【００１２】
非接触型データ受送信体１１は、絶縁性の基材（図示略）と、ＲＦＩＤ装置とから概略構成されている。また、ＲＦＩＤ装置は、非接触型データ受送信体１１の基材の一方の面に設けられたアンテナ（図示略）と、アンテナの両端と接点（図示略）を介して電気的に接続されたＩＣチップ（図示略）とから概略構成されている。
【００１３】
ＲＦＩＤ装置を構成するアンテナは、非接触型データ受送信体１１の基材の一方の面にコイル状、ポール状、折り曲げポール状、ループ状などに設けられており、電磁誘導方式を採用していて、かつ、起電力が得られるものであれば、アンテナの形状は特に限定されない。
【００１４】
ＲＦＩＤ装置を構成するＩＣチップとしては、特に限定されず、アンテナを介して非接触状態にて情報の書き込みおよび読み出しが可能なもので、かつ、非接触型ＩＣタグや非接触型ＩＣラベル、あるいは非接触型ＩＣカードなどのＲＦＩＤメディアに適用可能なものであればいかなるものでも用いられる。
また、ＲＦＩＤ装置を構成するＩＣチップには、非接触型データ受送信体１１の所有者に関する情報、例えば、氏名、年齢、性別、企業内における所属などの個人を識別可能な情報が保存されている。
【００１５】
情報読出手段１３は、入力手段１６と一体に設けられ、各種ケーブルなどからなる接続手段１８を介して制御手段１７と接続されており、非接触型データ受送信体１１のＲＦＩＤ装置に関して情報の読み出しを行うものである。
【００１６】
印刷手段１４は、信号ライン１９を介して制御手段１７と接続されている。印刷手段１４としては、ＩＣチップを備えた印刷媒体（図示略）に、任意の大きさの文字、模様または画像などの印刷情報を印刷することが可能なものであれば特に限定されず、如何なるものでも適用される。印刷手段１４としては、例えば、熱転写方式のプリンタ、インクジェット方式のプリンタ、マイクロドライブ方式のプリンタ、昇華型熱転写方式のプリンタ、サーモオートクローム方式のプリンタなどが挙げられる。
【００１７】
情報書込手段１５は、信号ライン２０を介して制御手段１７と接続されており、ＩＣチップを備えた印刷媒体に関して、情報読出手段１３により読み出された非接触型データ受送信体１１のＲＦＩＤ装置を構成するＩＣチップに保存されている情報、印刷した場所（印刷装置１２の識別番号など）、印刷した時間などの情報の書き込みを行うものである。
【００１８】
入力手段１６は、情報読出手段１３と一体に設けられ、接続手段１８を介して制御手段１７と接続されており、印刷手段１４によりＩＣチップを備えた印刷媒体に印刷される文字、模様または画像などの印刷情報を、制御手段１７に入力するためのものである。
【００１９】
制御手段１７は、印刷手段１４による印刷媒体への印刷を制御（印刷の開始または中止）するとともに、情報読出手段１３により読み出された非接触型データ受送信体１１のＲＦＩＤ装置に保存されている情報の印刷媒体に備えられたＩＣチップへの書き込みを制御するものである。
【００２０】
なお、この実施形態では、情報読出手段１３と入力手段１６が一体に設けられている印刷システム１０を例示したが、本発明の印刷システムはこれに限定されない。本発明の印刷システムにあっては、情報読出手段と入力手段は別体であってもよく、情報読取手段はネットワークで接続されていてもよい。
【００２１】
次に、この実施形態の印刷システム１０の運用方法について説明する。
この印刷システム１０では、まず、情報読取手段１３に非接触型データ受送信体１１を近接させて、情報読取手段１３により非接触型データ受送信体１１のＲＦＩＤ装置に保存されている情報を読み取らせる。この際、情報読取手段１３により読み取った情報を一時的に制御手段１７に保存してもよい。
【００２２】
また、情報読取手段１３による非接触型データ受送信体１１のＲＦＩＤ装置に保存されている情報の読み取りの前、あるいは、これと同時またはこれの直後に、入力手段１６によって、ＩＣチップを備えた印刷媒体に印刷される文字、模様または画像などの印刷情報を入力する。
【００２３】
そして、印刷手段１４による印刷媒体への印刷情報の印刷を開始し、制御手段１７の制御によって、この印刷と同期するように、情報書込手段１５により情報読取手段１３によりって読み取った情報を印刷媒体に備えられたＩＣチップへの書き込みを行う。
【００２４】
なお、この実施形態の印刷システム１０では、情報読取手段１３による非接触型データ受送信体１１のＲＦＩＤ装置に保存されている情報の読み取りが終了すると同時に、印刷媒体への印刷情報の印刷を開始するとともに、情報読取手段１３によりって読み取った情報を印刷媒体に備えられたＩＣチップへ書き込むか、あるいは、情報読取手段１３により読み取った情報を一時的に制御手段１７に保存しておき、必要に応じて、印刷媒体への印刷情報の印刷と同期するように、この保存しておいた情報を印刷媒体に備えられたＩＣチップへ書き込む。
【００２５】
また、この実施形態の印刷システム１０において、印刷と同期するように、情報書込手段１５によって、非接触型データ受送信体１１のＲＦＩＤ装置に保存されている情報の印刷媒体に備えられたＩＣチップへの書き込みを行うとは、印刷の開始から終了までの間に、印刷媒体に備えられたＩＣチップへの情報の書き込みを行うことをいう。
【００２６】
以上説明したように、この実施形態の印刷システム１０によれば、書類などの印刷物の印刷に関して、印刷を行う者を認証または制限することができる。また、印刷物に印刷されている印刷情報が誰によって印刷されたのか、また、何時、何処で印刷されたのかなどを識別することができる。さらに、第三者による印刷情報の盗用などの不正を防止することができる。
【産業上の利用可能性】
【００２７】
本発明の印刷システムは、閲覧可能な者を限定する書類などの印刷にも適用できる。
【図面の簡単な説明】
【００２８】
【図１】本発明に係る印刷システムの一実施形態を示す概略図である。
【符号の説明】
【００２９】
１０・・・印刷システム、１１・・・非接触型データ受送信体、１２・・・印刷装置、１３・・・情報読出手段、１４・・・印刷手段、１５・・・情報書込手段、１６・・・入力手段、１７・・・制御手段、１８・・・接続手段、１９，２０・・・信号ライン。
【図１】
2006123311.tif 000003